(57)【要約】      （修正有）【課題】携帯電話に着信がある事を知らせる信号に応答する着信通知装置であり、使用する時は利用者の手首、腕など体毛の少ない部位であればどこにでも簡単に装着する事が出来、信頼性の高い通知能力を有した携帯電話の着信通知装置を提供する。【解決手段】携帯電話の着信通知装置は接着性を持った素材とを組み合わせ、通常はケ−スの中に保管し、使用時に体に接着する事で着信通知装置として活用する。着信通知装置の振動部が、使用者の肌に直接触れる構造となっているため、接着性を持った素材と着信通知装置とは面ファスナーで組み合わせ脱着を簡単にし接着部の洗浄、交換を容易に行う事が出来る構造とし、保管ケ−スの底部や蓋に磁力を持ったシ−ルを貼ることにより着信通知装置内部の磁力に反応するスイッチを作動させ、着信通知装置の受信待機状態をＯＦＦにして電池の寿命を延長する。【選択図】図１
2013258664.tif 000002
【特許請求の範囲】
【請求項１】
携帯電話に着信がある事を知らせる着信通知装置と、人間の肌に接着する特性を持った素材とを組み合わせる事で、携帯電話の着信通知装置を使用する時に手首、腕など体毛の少ないところであれば使用者の任意の場所に簡単に取り付ける事が出来る特徴をもった携帯電話の着信通知装置。
【請求項２】
着信通知装置と人間の肌に接着する特性を持った素材との組み合せ部をマジックテ−プ構造とすることで簡単に組み合せや取り外しが可能となり、肌に接着する部分の清掃や交換が容易に出来る特徴を持っている。
【請求項３】
携帯電話に着信がある事を着信通知装置の振動により確実に知らせる方法として、肌に接着する特性を持った素材には貫通部分を作り着信通知装置の振動部が直接使用者の肌に接触する構造の特徴を持っている。
【請求項４】
着信通知装置は使用しないときに専用ケ−スに保管、保管している時はケ−スに施した磁力により、着信通知装置の電子基盤内の磁力に反応するスイッチが反応し、使用している電池の電源を遮断し消費電力を削減する特徴を持っている。
【発明の詳細な説明】
【発明の明細な説明】
【技術分野】
【０００１】この発明は、携帯電話機など携帯通信端末で着信がある事を離れた位置に置かれる着信通知装置に通知するシステムにおける、着信通知装置に関するものである。
【背景技術】
【０００２】従来、携帯電話機の着信通知装置は腕時計やブレスレッド、ペンダントなどに内臓されたものを利用者が体に取り付けることにより携帯電話に受信がある事を認識できる仕組みとなっている。
【発明が解決しようとする課題】
【０００３】腕時計やブレスレッドに内臓した着信通知装置においては使用者の腕や首などの特定された場所に装着する事になってしまう、利用する人の状況や環境によっては腕時計やブレスレッドなどを取り付ける事が出来なかったり、利用者として自分以外の人に使用している事を気付かれたくない人も多いが、気付かれない様にするには容易ではなかった。又着信を知らせる振動は振動部がケ−ス内部にある事、取り付け部の肌と振動部分は直接に密着していないため振動を強力にしないと着信にきずかない事がある。
【課題を解決するための手段】
【０００４】人の肌に接着する素材と携帯電話の着信通知装置とを組み合わせる事で使用する人の任意の場所にワンタッチで着信通知装置を取り付ける事が出来る、肌に接着する素材は汚れなどで接着力の低下が起こる、この汚れを水などによる清掃や、肌に接着する素材を交換する事が定期的に必要となるが、肌に接着する素材と着信通知装置の組み合わせはマジックテ−プを利用する事でこの作業が容易に出来る。
【０００５】前記記載の人の肌に接着する素材と携帯電話の着信通知装置とを組み合わせにおいて、携帯電話に着信がある事を振動により知らせる機能をより効果的に、又振動に必要な電力消費を削減する事を狙い、人の肌に接着する素材に貫通部分を作り着信通知装置の振動部が直接肌に接着する構造となっている。
【０００６】前記記載の着信通知装置において、使用しない時には肌から取り外しケ−スにて保管をする、保管ケ−スの底や蓋には磁力を持たせたり、磁力を持ったシ−ルなどを貼る事により、着信通知装置を保管ケ−スに保管した時には着信通知装置の電子基盤内にある磁力に反応するスイッチが保管ケ−スの磁力に反応し着信通知装置の電源を遮断する、この事により使用していない時の待機電力を削減できる構造となっている。
【発明を実施するための形態】
【０００８】本発明の実施の形態を図面に付いて説明をすれば、
携帯電話機（１）に着信があると携帯電話機（１）、又は着信を知らせるために取り付けた、着信信号送信機（２）から着信がある事を知らせる着信信号（３）が送信される、着信通知装置（６）の着信表示部（４）はこの信号を受け取り振動、音、表示などにより利用者に着信のある事を知らせる。
着信通知装置（６）の着信表示部（４）はポリエステル、ポリウレタン樹脂、シリコンなど、人の肌に接着する素材（５）と組み合わされており着信通知装置（６）を利用する時には使用者の手首（７）、腕（８）、をはじめ体毛の少ない部位であれば任意の場所にワンタッチで貼り付ける事が可能となる。
着信通知装置（６）の着信表示部（４）と人の肌に接着する素材（５）と組み合せにはマジックテ−プ（９）により接着されている、人の肌に接着する素材の接着部（１０）には使用者の老化した皮膚や、ごみなどの汚れが付着しやすく、定期的に接着部の清掃、又は交換が必要となるが、マジックテ−プ（９）により接着されていることにより容易に清掃、交換が出来る構造である。
着信通知装置（６）の着信表示部（４）には着信がある事を知らせる振動部（１１）がある、作動時の振動を使用者に確実に伝える事が重要となるが、人の肌に接着する素材（５）はこの振動を吸収する特性を持つものが多く確実に振動を伝えるために大きな振動力が必要となる、この問題を解決するために人の肌に接着する素材（５）に貫通部を作り、着信表示部（４）とを組み合わせる時に振動部（１１）が使用者の肌に接触するような構造となっている。
着信通知装置（６）は携帯電話機（１）、又は着信信号送信機（２）から着信がある事を知らせ着信信号（３）を受ける為に常時電波の待機状態となっている、着信通知装置（６）は使用しない時には保管ケ−ス（１２）に入れ保管をする、この時に保管ケ−スの底（１３）や保管ケ−スの蓋（１４）に施された磁力が着信表示部（４）の基盤内にある磁力に反応するスイッチを作動させ電波の待機状態をＯＦＦとする、この事により電池の消費を大幅削減する事が出来る。
【図面の簡単な説明】
【０００９】
【図１】本発明の実施形態例を示す携帯電話と着信通知装置の関連図である。
【図２】本発明の使用形態例である。
【図３】着信通知装置の断面図である
【図４】着信通知装置の保管形態例である。
【符号の説明】
【００１０】  １．携帯電話機
２．着信信号送信機
３．着信信号
４．着信表示部
５．人の肌に接着する素材
６．着信通知装置
７．手首
８．腕
９．マジックテ−プ
１０．人の肌に接着する素材の接着部
１１．振動部
１２．保管ケ−ス
１３．保管ケ−スの底
１４．保管ケ−スの蓋
【図１】
2013258664.tif 000003
【図２】
2013258664.tif 000004
【図３】
2013258664.tif 000005
【図４】
2013258664.tif 000006
【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
「携帯電話に着信があることを知らせる着信通知装置において、
手首、腕など体毛の少ないところであれば使用者の任意の場所に簡単に取り付ける事が出来る、人間の肌に接着する特性を持った素材を備え、
前記人間の肌に接着する特性を持った素材と前記着信通知装置との組み合わせ部を面ファスナ構造とすることで、脱着可能とするとともに、肌に接着する部分の清掃や交換を容易に出来るようにし、
前記人間の肌に接着する特性を持った素材に設けられた貫通部分から、前記着信通知装置の振動部が直接使用者の肌に接触する構造にしたことを特徴とする、着信通知装置。」
【手続補正２】
【補正対象書類名】明細書
【補正対象項目名】全文
【補正方法】変更
【補正の内容】
【発明の詳細な説明】
【発明の明細な説明】
【技術分野】
【０００１】この発明は、携帯電話機など携帯通信端末で着信がある事を離れた位置に置かれる着信通知装置に通知するシステムにおける、着信通知装置に関するものである。
【背景技術】
【０００２】従来、携帯電話機の着信通知装置は腕時計やブレスレッド、ペンダントなどに内臓されたものを利用者が体に取り付けることにより携帯電話に受信がある事を認識できる仕組みとなっている。
【発明が解決しようとする課題】
【０００３】腕時計やブレスレッドに内臓した着信通知装置においては使用者の腕や首などの特定された場所に装着する事になってしまう、利用する人の状況や環境によっては腕時計やブレスレッドなどを取り付ける事が出来なかったり、利用者として自分以外の人に使用している事を気付かれたくない人も多いが、気付かれない様にするには容易ではなかった。又着信を知らせる振動は振動部がケース内部にある事、取り付け部の肌と振動部分は直接に密着していないため振動を強力にしないと着信にきずかない事がある。
【課題を解決するための手段】
【０００４】人間の肌に接着する特性を持った素材と携帯電話の着信通知装置とを組み合わせる事で使用する人の任意の場所にワンタッチで着信通知装置を取り付ける事が出来る、人間の肌に接着する特性を持った素材は汚れなどで接着力の低下が起こる、この汚れを水などによる清掃や、人間の肌に接着する特性を持った素材を交換する事が定期的に必要となるが、人間の肌に接着する特性を持った素材と着信通知装置の組み合わせは面ファスナ構造にする事でこの作業が容易に出来る。
【０００５】前記記載の人間の肌に接着する特性を持った素材と携帯電話の着信通知装置とを組み合わせにおいて、携帯電話に着信がある事を振動により知らせる機能をより効果的に、又振動に必要な電力消費を削減する事を狙い、人間の肌に接着する特性を持った素材に貫通部分を作り着信通知装置の振動部が直接肌に接着する構造となっている。
【０００６】前記記載の着信通知装置において、使用しない時には肌から取り外しケースにて保管をする、保管ケースの底や蓋には磁力を持たせたり、磁力を持ったシールなどを貼る事により、着信通知装置を保管ケースに保管した時には着信通知装置の電子基盤内にある磁力に反応するスイッチが保管ケースの磁力に反応し着信通知装置の電源を遮断する、この事により使用していない時の待機電力を削減できる構造となっている。
【発明を実施するための形態】
【０００８】本発明の実施の形態を図面に付いて説明をすれば、
携帯電話機（１）に着信があると携帯電話機（１）、又は着信を知らせるために取り付けた、着信信号送信機（２）から着信がある事を知らせる着信信号（３）が送信される、着信通知装置（６）の着信表示部（４）はこの信号を受け取り振動、音、表示などにより利用者に着信のある事を知らせる。
着信通知装置（６）の着信表示部（４）は人間の肌に接着する特性を持った素材（５）と組み合わされており着信通知装置（６）を利用する時には使用者の手首（７）、腕（８）、をはじめ体毛の少ない部位であれば任意の場所にワンタッチで貼り付ける事が可能となる。
着信通知装置（６）の着信表示部（４）と人間の肌に接着する特性を持った素材（５）と組み合せには面ファスナ構造（９）により接着されている、人間の肌に接着する特性を持った素材の接着部（１０）には使用者の老化した皮膚や、ごみなどの汚れが付着しやすく、定期的に接着部の清掃、又は交換が必要となるが、面ファスナ構造（９）により接着されていることにより容易に清掃、交換が出来る構造である。
着信通知装置（６）の着信表示部（４）には着信がある事を知らせる振動部（１１）がある、作動時の振動を使用者に確実に伝える事が重要となるが、人間の肌に接着する特性を持った素材（５）はこの振動を吸収する特性を持つものが多く確実に振動を伝えるために大きな振動力が必要となる、この問題を解決するために人間の肌に接着する特性を持った素材（５）に貫通部を作り、着信表示部（４）とを組み合わせる事で振動部（１１）が使用者の肌に接触するような構造となっている。
着信通知装置（６）は携帯電話機（１）、又は着信信号送信機（２）から着信がある事を知らせ着信信号（３）を受ける為に常時電波の待機状態となっている、着信通知装置（６）は使用しない時には保管ケース（１２）に入れ保管をする、この時に保管ケースの底（１３）や保管ケースの蓋（１４）に施された磁力が着信表示部（４）の基盤内にある磁力に反応するスイッチを作動させ電波の待機状態をＯＦＦとする、この事により電池の消費を大幅削減する事が出来る。
【図面の簡単な説明】
【０００９】
【図１】本発明の実施形態例を示す携帯電話と着信通知装置の関連図である。
【図２】本発明の使用形態例である。
【図３】着信通知装置の断面図である
【図４】着信通知装置の保管形態例である。
【符号の説明】
【００１０】  １．携帯電話機
２．着信信号送信機
３．着信信号
４．着信表示部
５．人間の肌に接着する特性を持った素材
６．着信通知装置
７．手首
８．腕
９．面ファスナ構造
１０．人間の肌に接着する特性を持った素材の接着部
１１．振動部
１２．保管ケース
１３．保管ケースの底
１４．保管ケースの蓋